(57)【特許請求の範囲】
【請求項１】
キャスターによって搬送可能として成る回収容器を内部に設置するために開放される扉と、上部から前記回収容器内に廃棄物を投入する投入口とを備えたキャビネット本体であって、
該キャビネット本体は、前記投入口の内側にて上下方向にスライド可能にすることで当該投入口を閉塞または開放可能とし且つ昇降駆動バネによって常時上方へ付勢して成る投入口可動棚と、
該投入口可動棚の下方向にスライド移動した位置で当該投入口可動棚の上方へのスライド移動を阻止する係止位置と上方へのスライド移動を許容する係止解除位置との間を揺動可能とした定位置フックと、
前記投入口可動棚の上方向にスライド移動した位置で当該投入口可動棚の下方へのスライド移動を阻止する係止位置と下方へのスライド移動を許容する係止解除位置との間を揺動可能としたストップフックとを備え、
前記回収容器は、前記投入口に通じる上部開放部にて前後水平方向にスライド可能とすることで当該上部開放部を閉塞または開放可能とし且つ前記上部開放部の略中央に配したリール部材に巻取付勢して成るゼンマイバネ等の弾性開閉機構との連繋によって前記上部開放部が閉鎖する方向に引っ張り付勢されて成るスライドカバーと、
前記上部開放部の開放方向にスライド移動した位置で前記スライドカバーの閉鎖方向へのスライド移動を阻止する係止位置と前記上部開放部の閉鎖方向へのスライド移動を許容する係止解除位置との間を揺動可能としたカバースイッチと、
前記上部開放部を閉鎖した位置で上方向に突出揺動して前記スライドカバーの開放を阻止するカバーロックとを備え、
前記回収容器を支えるようキャビネット本体の内底部に備えた圧縮可能な支持バネと、
前記定位置フック及び前記カバースイッチを同時に押下操作すべく扉の内壁にて上下スライド可能に配した連動スイッチと、
該連動スイッチにレリーズワイヤを介して繋がれた状態で前記キャビネット本体の内底部に配されたスイッチボタンと、を有して成ることを特徴とする機密書類廃棄用キャビネット。
【請求項２】
前記回収容器内に回収された廃棄物によって該回収容器が一定の荷重に達すると、当該回収容器の下部に配した支持バネが圧縮されて前記レリーズワイヤによる牽引力を介して前記スイッチボタンが押下されることで前記定位置フックによる前記投入口可動棚の係止を解除し、前記昇降駆動バネの張力によって前記投入口可動棚を上方に引き上げ、投入口を投入口可動棚で完全に閉塞して廃棄物の投入を不可能にし且つ前記ストップフックによって当該投入口可動棚の下方へのスライド移動を阻止すると同時に、前記カバースイッチによる前記スライドカバーの閉鎖方向へのスライド移動を許容して前記回収容器の上部開放部を閉鎖し且つ前記カバーロックが上方向に突出揺動して前記スライドカバーの開放方向へのスライド移動を阻止すべく成したことを特徴とする請求項１記載の機密書類廃棄用キャビネット。
【請求項３】
前記回収容器は、金属製素材にて形成されるとともに、前記スライドカバーの閉鎖移動に伴ってロック作動したカバーロックのロック解除方向への揺動を阻止し、キー孔へのキーの差込操作によってロック解除方向への揺動を許容する錠前を有して成ることを特徴とする請求項１又は２記載の機密書類廃棄用キャビネット。
【発明の詳細な説明】
【技術分野】
【０００１】
本発明は、例えばオフィス内で発生する機密書類・個人情報書類・記録媒体等を廃棄するに際し、これら廃棄物を安全で且つ手間を掛けずに回収できる循環型システムを可能にした機密書類廃棄用キャビネットに関する。
【背景技術】
【０００２】
近年、社会の要求により情報量が急激に増加しているのに伴い、機密書類・個人情報書類・記録媒体等は増加の一途をたどっている。使用済みとなったこれらの機密書類・個人情報書類・記録媒体等の廃棄物は、ダンボール箱に詰めて焼却処理されるか、あるいは分別されてリサイクルされるか、さらにはシュレッダー処理してから焼却もしくは埋め立て処理されるか等のいずれかの方法で処分されてきた。
【０００３】
そこで、従来では、本件出願人が先に出願し、その後登録となった特許文献１に示すように、機密保持を要する厚みのあるファイルや冊子、あるいは束ねられた記録用紙等の廃棄物を、キャビネット本体内部に収容されている強化ダンボール製の回収容器に投入可能な投入口を備え、この回収容器が一定の荷重に達すると、前記投入口を閉鎖して投入不可の状態にすることができ、閉鎖後においては、投入口の閉鎖ロック状態を確実に維持することができるようにした機密書類廃棄用キャビネットを提供した。
【０００４】
すなわち、この機密書類廃棄用キャビネットは、回収容器内に回収された廃棄物によって該回収容器が一定の荷重に達すると、棚下のバネが圧縮されてスイッチボタンが押されることで、当該レリーズを介してシャッタを下方に引き込み、投入口をシャッタで完全に閉塞して投入不可能な状態となるようにしている。
【先行技術文献】
【特許文献】
【０００５】
【特許文献１】特許第４８２３９７２号公報
【発明の概要】
【発明が解決しようとする課題】
【０００６】
しかしながら、上記した特許文献１の場合においては、前記強化ダンボール製の回収容器は開放されたままの状態であるため、前記廃棄物で満載された回収容器をキャビネット本体から取出した段階では、当該回収容器の内部で満杯となった廃棄物は回収者を含め第三者に容易に目に触れることができ得る状態となるため、当該廃棄物の機密保持機能が充分に果たし得ないものとなってしまう虞がある。
【０００７】
また、前記強化ダンボール製の回収容器は、前記廃棄物で満載されたときには、このまま廃棄処分とされる使い捨てのものであるため、運搬面、価格面、環境面において余分な負担が生じる虞がある。
【０００８】
そこで、本発明は、叙上のような従来存した諸事情に鑑み案出されたもので、投入された機密書類を廃棄されるまで他人の目に触れてしまうという虞を確実に回避でき、また、従来は使い捨てであった回収容器を繰り返し使用可能とし且つ廃棄処理場まで容易に運搬できるものとした頑丈で、しかも安価で環境に優しい機密書類廃棄用キャビネットを提供することを目的とする。
【課題を解決するための手段】
【０００９】
上述した課題を解決するために、本発明にあっては、キャスターによって搬送可能として成る回収容器を内部に設置するために開放される扉と、上部から前記回収容器内に廃棄物を投入する投入口とを備えたキャビネット本体であって、
該キャビネット本体は、前記投入口の内側にて上下方向にスライド可能にすることで当該投入口を閉塞または開放可能とし且つ昇降駆動バネによって常時上方へ付勢して成る投入口可動棚と、
該投入口可動棚の下方向にスライド移動した位置で当該投入口可動棚の上方へのスライド移動を阻止する係止位置と上方へのスライド移動を許容する係止解除位置との間を揺動可能とした定位置フックと、
前記投入口可動棚の上方向にスライド移動した位置で当該投入口可動棚の下方へのスライド移動を阻止する係止位置と下方へのスライド移動を許容する係止解除位置との間を揺動可能としたストップフックとを備え、
前記回収容器は、前記投入口に通じる上部開放部にて前後水平方向にスライド可能とすることで当該上部開放部を閉塞または開放可能とし且つ前記上部開放部の略中央に配したリール部材に巻取付勢して成るゼンマイバネ等の弾性開閉機溝との連繋によって前記上部開放部が閉鎖する方向に引っ張り付勢されて成るスライドカバーと、
前記上部開放部の開放方向にスライド移動した位置で前記スライドカバーの閉鎖方向へのスライド移動を阻止する係止位置と前記上部開放部の閉鎖方向へのスライド移動を許容する係止解除位置との間を揺動可能としたカバースイッチと、
前記上部開放部を閉鎖した位置で上方向に突出揺動して前記スライドカバーの開放を阻止するカバーロックとを備え、
前記回収容器を支えるようキャビネット本体の内底部に備えた圧縮可能な支持バネと、
前記定位置フック及び前記カバースイッチを同時に押下操作すべく扉の内壁にて上下スライド可能に配した連動スイッチと、
該連動スイッチにレリーズワイヤを介して繋がれた状態で前記キャビネット本体の内底部に配されたスイッチボタンと、を有して成ることを特徴とする。
【００１０】
前記回収容器内に回収された廃棄物によって該回収容器が一定の荷重に達すると、当該回収容器の下部に配した支持バネが圧縮されて前記レリーズワイヤによる牽引力を介して前記スイッチボタンが押下されることで前記定位置フックによる前記投入口可動棚の係止を解除し、前記昇降駆動バネの張力によって前記投入口可動棚を上方に引き上げ、投入口を投入口可動棚で完全に閉塞して廃棄物の投入を不可能にし且つ前記ストップフックによって当該投入口可動棚の下方へのスライド移動を阻止すると同時に、前記カバースイッチによる前記スライドカバーの閉鎖方向へのスライド移動を許容して前記回収容器の上部開放部を閉鎖し且つ前記カバーロックが上方向に突出揺動して前記スライドカバーの開放方向へのスライド移動を阻止すべく成したことを特徴とする。
【００１１】
前記回収容器は、金属製素材にて形成されるとともに、前記スライドカバーの閉鎖移動に伴ってロック作動したカバーロックのロック解除方向への揺動を阻止し、キー孔へのキーの差込操作によってロック解除方向への揺動を許容する錠前を有して成ることを特徴とする。
【発明の効果】
【００１２】
本発明によれば、キャビネット本体の正面投入口から回収容器の上部開放部を経て投入された機密書類（廃棄物）で当該回収容器が一定重量となるのに伴い、前記キャビネット本体の投入口と前記回収容器の閉鎖が連繋して同時に行われる構造となし、投入された機密書類を廃棄されるまで他人の目に触れてしまうという虞を確実に回避でき、また、従来は使い捨てであった回収容器を繰り返し使用可能とし且つ廃棄処理場まで容易に運搬できるものとした頑丈で、しかも安価で環境に優しい機密書類廃棄用キャビネットを提供することができる。
【００１３】
すなわち、キャビネット本体は、キャスターによって搬送可能として成る回収容器を内部に設置するために開放される扉と、上部から前記回収容器内に廃棄物を投入する投入口とを備えたキャビネット本体であって、
該キャビネット本体は、前記投入口の内側にて上下方向にスライド可能にすることで当該投入口を閉塞または開放可能とし且つ昇降駆動バネによって常時上方へ付勢して成る投入口可動棚と、
該投入口可動棚の下方向にスライド移動した位置で当該投入口可動棚の上方へのスライド移動を阻止する係止位置と上方へのスライド移動を許容する係止解除位置との間を揺動可能とした定位置フックと、
前記投入口可動棚の上方向にスライド移動した位置で当該投入口可動棚の下方へのスライド移動を阻止する係止位置と下方へのスライド移動を許容する係止解除位置との間を揺動可能としたストップフックとを備え、
前記回収容器は、前記投入口に通じる上部開放部にて前後水平方向にスライド可能とすることで当該上部開放部を閉塞または開放可能とし且つ前記上部開放部の略中央に配したリール部材に巻取付勢して成るゼンマイバネ等の弾性開閉機構との連繋によって前記上部開放部が閉鎖する方向に引っ張り付勢されて成るスライドカバーと、
前記上部開放部の開放方向にスライド移動した位置で前記スライドカバーの閉鎖方向へのスライド移動を阻止する係止位置と前記上部開放部の閉鎖方向へのスライド移動を許容する係止解除位置との間を揺動可能としたカバースイッチと、
前記上部開放部を閉鎖した位置で上方向に突出揺動して前記スライドカバーの開放を阻止するカバーロックとを備え、
前記回収容器を支えるようキャビネット本体の内底部に備えた圧縮可能な支持バネと、
前記定位置フック及び前記カバースイッチを同時に押下操作すべく扉の内壁にて上下スライド可能に配した連動スイッチと、
該連動スイッチにレリーズワイヤを介して繋がれた状態で前記キャビネット本体の内底部に配されたスイッチボタンと、を有して成るので、
オフィス内で発生する機密書類・個人情報書類・記録媒体等の他に厚みのあるファイルや冊子等の廃棄物の投入口を確実且つ強固に閉鎖することができ、しかも閉鎖後においては、このような投入口の閉鎖ロック状態を確実に維持することができると同時に、前記回収容器の上部開放部の完全閉鎖したロック状態を確実に維持することができる。これにより、機密書類を廃棄されるまでの間において廃棄物に対する機密性が担保される。また、回収容器は、キャスターによって搬送可能として成るので、廃棄物処理場までの運搬の容易性に加えて、キャビネット本体への回収容器の設置または回収作業がスムーズに行える。
【００１４】
前記回収容器内に回収された廃棄物によって該回収容器が一定の荷重に達すると、当該回収容器の下部に配した支持バネが圧縮されて前記レリーズワイヤによる牽引力を介して前記スイッチボタンが押下されることで前記定位置フックによる前記投入口可動棚の係止を解除し、前記昇降駆動バネの張力によって前記投入口可動棚を上方に引き上げ、投入口を投入口可動棚で完全に閉塞して廃棄物の投入を不可能にし且つ前記ストップフックによって当該投入口可動棚の下方へのスライド移動を阻止すると同時に、前記カバースイッチによる前記スライドカバーの閉鎖方向へのスライド移動を許容して前記回収容器の上部開放部を閉鎖し且つ前記カバーロックが上方向に突出揺動して前記スライドカバーの開放方向へのスライド移動を阻止すべく成したので、投入された機密書類を廃棄されるまで他人の目に触れてしまうという虞を確実に回避することができる。
【００１５】
前記回収容器は、金属製素材にて形成されるとともに、前記スライドカバーの閉鎖移動に伴ってロック作動したカバーロックのロック解除方向への揺動を阻止し、キー孔へのキーの差込操作によってロック解除方向への揺動を許容する錠前を有して成るので、前記回収容器が頑丈であるのは勿論、キーを所持することが許された守秘義務のある作業員だけが、前記スライドカバーの開放方向へのスライド移動を可能にし、廃棄物に対する機密性および安全性が共に完全なものとなる。
【図面の簡単な説明】
【００１６】
【図１】本発明を実施するための最良の形態におけるキャビネット本体の斜視図である。
【図２】同じく扉を開放して回収容器を手前に引き出した状態を示すキャビネット本体の斜視図である。
【図３】同じく扉を開放して回収容器を取出した状態を示すキャビネット本体の斜視図である。
【図４】投入口可動棚を下方位置にスライド移動して開放された状態の投入口の要部を示す斜視図である。
【図５】投入口可動棚を上方位置にスライド移動して閉鎖された状態の投入口の要部を示す正面図である。
【図６】キャビネット本体内部の天井部を斜下方向から視た斜視図である。
【図７】スライドカバーの開放方向へのスライド移動によって回収容器の上部開放部を開放した状態の要部を示す斜視図である。
【図８】キャビネット本体の内底部に配されたスイッチボタンと、回収容器を支持する支持バネとの配置例を示すもので、（ａ）は荷重の小さい回収容器が支持バネによって浮上した状態の説明図、（ｂ）は廃棄物投入により荷重の大きくなった回収容器が下降してスイッチボタンが押されている状態の説明図である。
【図９】スイッチボタンによって連動スイッチが押下された際の定位置フックとカバースイッチの動作を説明する要部の断面図である。
【図１０】投入口可動棚を下方位置にスライド移動して開放された状態の投入口の要部を示す側断面図である。
【図１１】定位置フックを係止解除方向に揺動した状態における投入口可動棚の要部を示す側断面図である。
【図１２】投入口可動棚が上方位置にスライド移動して閉鎖された状態の投入口の要部を示す側断面図である。
【図１３】スライドカバーの開放方向へのスライド移動によって回収容器の上部開放部を開放した状態の要部を示す側断面図である。
【図１４】カバースイッチを係止解除方向に揺動した状態における回収容器の上部開放部の要部を示す側断面図である。
【図１５】スライドカバーの閉鎖方向へのスライド移動に伴いカバーロックが上方向に突出揺動して当該スライドカバーの開放方向へのスライド移動を阻止した状態の回収容器の上部開放部の要部を示す側断面図である。
【図１６】キー操作によってカバーロックを解除してスライドカバーが開放方向へスライド移動できるようにした状態の要部を示す側断面図である。
【発明を実施するための形態】
【００１７】
以下、図面を参照して本発明に係る機密書類廃棄用キャビネットの実施の一形態を詳細に説明する。先ず、本発明に係る機密書類廃棄用キャビネットを構成するキャビネット本体１の使用時における全体構成について説明する。
【００１８】
＜回収容器Ｑを収容するキャビネット本体１の構成＞
本実施形態におけるキャビネット本体１は、図１、図２、及び図３に示すように、外装部分が約１ｍｍ程度の厚みを有する鋼板を使用して、天板部５ａ、左右両側面５ｂ、５ｃ、底部５ｄ、背面部５ｅから成る、例えば横幅５００ｍｍ、奥行き５５０ｍｍ、高さ１３００ｍｍ程度の縦長のボックス構造によって形成され、前面には内部に、いわゆるインナーボックスとしてのスチール製の回収容器Ｑを設置するために開放される片開きになる扉２を有している。この扉２は、コインロッカートリガー金具３によって施解錠が可能となっている。また、回収容器は、全て金属製素材にて形成されるとともに、当該回収容器Ｑの下面四隅には、自体を搬送するためのキャスター４を装備し、さらに回収容器Ｑの背面側には、廃棄処理場において、内部の廃棄物を取出し投棄処理するために、専用キーにて解錠可能とした背面扉８を備えている。なお、図中の符号７はキャビネット本体１を手で持って運搬するための取っ手である。
【００１９】
而して、前記キャビネット本体１の天板部５ａには、斜め前方に向けて横長開口状の投入口６が設けられ、投入口６の内側には、上下方向にスライド可能にすることで当該投入口６を閉塞または開放可能とした投入口可動棚１１が設けられている。なお、この投入口可動棚１１の前面には、投入不可能である状態とのメッセージ（例えば「ＦＵＬＬ」）が布置されてなる指示部１２を備え、投入口可動棚１１が投入口６を閉塞した際に当該指示部１２が投入口６から視ることができるようにしてある。図１乃至図３においては、投入口可動棚１１が最上位に上がっているロック状態であり、キャビネット本体１の内部から後述するストップフック７１を解除しない限り下方向に移動しないものとなっている。このストップフック７１によるロック構造、及び投入口可動棚１１の昇降スライド機構については後述する。
【００２０】
図３に示すように、キャビネット本体１の底部５ｄの前端縁部には、前記キャスター４によって回収容器Ｑを前方に引き出し可能とした略Ｕ溝条のガイドレール５２、５２を左右対称位置に設けてなるタラップ５１がヒンジ部５３によって折畳自在に設けられている。図示において、回収容器Ｑがキャビネット本体１内部に収納されている場合には、このタラップ５１は左右一対のヒンジ部５３、５３を介して、回収容器Ｑの前面に寄せ掛けるように起立状に折り込まれており、回収容器Ｑを引き出す場合には、このタラップ５１をヒンジ部５３を介して前方に倒してから、前記キャスター４をガイドレール５２、５２に沿って転動案内させながら当該回収容器Ｑは外部に引き出されるものとしてある。
【００２１】
図２及び図３に示すように、前記扉２の内壁上側には、前記キャビネット本体１の投入口可動棚１１の後述する昇降スライド機構における定位置フック４６及び回収容器Ｑの後述するカバースイッチ８１を同時に押下操作するための上下スライド可能な連動スイッチ５６が設けられ、該連動スイッチ５６にレリーズワイヤ６４を介して繋がれた状態でキャビネット本体１の底部５ｄの前縁部側上面中央にスイッチボタン５８が配されている。
【００２２】
＜連動スイッチ５６の構成＞
扉２の内壁に付設された連動スイッチ５６の具体的な構成としては、図２、図３、および図９に示すように、当該連動スイッチ５６は、矩形板状のスライド板によって形成され、この左右対称位置に長孔５７が形成され、扉２の内壁の左右対称位置に突設したねじ等のガイド棒５７ａがこれら各長孔５７に挿入されて外側からナット等を介して保持されていることで上下スライド自在となっている。また、連動スイッチ５６の上端部はＬ字状に折り曲げて定位置フック４６のフック押下操作部５６ａと成し、連動スイッチ５６の下端部はＬ字状に折り曲げてカバースイッチ８１のスイッチ押下操作部５６ｂと成してある。さらに、前記連動スイッチ５６の上端部の左右対称部位は中央のフック押下操作部５６ａよりも若干低いＬ字状の肩部５６ｃとなっており、この肩部５６ｃの上面と扉２の内壁枠上縁２ａとの間にコイルスプリング状の引張バネ５６ｄが介在していることで、連動スイッチ５６は各長孔５７に挿入されたガイド棒５７ａに支持されつつ上方に付勢されている。そして、前記レリーズワイヤ６４の端部がスイッチ押下操作部５６ｂの孔部５６ｅを通して連動スイッチ５６の略中央にネジ止め５６ｆ等で固着されている。
【００２３】
＜スイッチボタン５８の具体的構成＞
前記スイッチボタン５８は、図３及び図９の楕円で囲まれている断面図に示すように、ケーシング５９に対しバネ６０を介して内装されている太い棒状のスライドストッパ６１の一端に固着されている。スライドストッパ６１がバネ６０を圧縮するとスイッチボタン５８の一端側６２がスライドストッパ６１下部の溝６３には嵌り込んで係止されるものとしてある。そして、スイッチボタン５８が押圧されると、スライドストッパ６１の溝６３からスイッチボタン５８の一端側６２が外れ、バネ６０の力でスライドストッパ６１が当該スライドストッパ６１に繋がれているレリーズワイヤ６４（レリーズのスライドワイヤ６４ａ）が引き込ませられるようにしてある。なお、レリーズワイヤ６４は、スライドワイヤ６４ａがスライド分の余裕を有する状態でチューブ状の外皮に挿入されたものである。
【００２４】
＜投入口可動棚１１の昇降スライド機構＞
次に、前記キャビネット本体１の投入口可動棚１１を駆動制御するための各部機構の具体的構成について説明する。図４、図５、図６、図１０、図１１、図１２に示すように、キャビネット本体１の投入口６に対応した内部前方側には、投入口可動棚１１の昇降スライドを機械的に駆動制御するための定位置フック４６及びストップフック７１を備えた固定基板２１（ブラケット）が配設されている。また、その左右両端側には、前後一対の縦長のガイドレール２３ａ、２３ｂを配設した左右両側壁面部２２ａ、２２ｂが備えられている。
【００２５】
図４、図５、図１０、図１１、図１２に示すように、前記キャビネット本体１の投入口可動棚１１は略コの字枠状に形成されており、その後部は斜め下向きに傾斜させたシュート１１ａが、下方に設置されている前記回収容器Ｑの上側後半部に開けられている後述の上部開放部Ｑ１に連通するように配置されている。また、図４、図５に示すように、前記キャビネット本体１の投入口可動棚１１の下面左右両側には、前記固定基板２１の左右両端側にあるガイドレール２３ａ、２３ｂに対向して、縦長板状のスライダ部３６が下方に向けて突設され、前記ガイドレール２３ａ、２３ｂに、このスライダ部３６が係合されて当該投入口可動棚１１を上下方向にスライド可能としてある。このスライダ部３６の下端は横向き９０°に折り曲げられ、後述の昇降駆動バネ３７一端の下側支持部３６ｂとなっている。また、図４、図１０、図１１、図１２に示すように、投入口可動棚１１の昇降スライドをスムーズに行うために、ガイドレール２３ａ、２３ｂの両側にガイドローラ１４が各設けられ、これらガイドローラ１４は前記スライダ部３６に摺接されている。
【００２６】
＜投入口可動棚１１の上方付勢機構＞
図５、図１０、図１１、図１２に示すように、左右両側壁面部２２ａ、２２ｂの上側には、横向きに９０°折り曲げられた上側支持部３６ａが設けられている。また、前記したように、これに対応して、上記スライダ部３６の下端は横向き９０°に折り曲げられて下側支持部３６ｂとなっている。そして、上側支持部３６ａと下側支持部３６ｂとの相互間にコイル状の昇降駆動バネ３７が連繋配置されることで、投入口可動棚１１を上方（投入口６を閉鎖する位置）へ常時付勢している。
【００２７】
＜投入口可動棚１１のロック機構及びロック解除機構＞
図４、図５、図６、図９、図１０、図１１、図１２に示すように、固定基板２１（ブラケット）上面の前端中央箇所には、支点Ｏ１の廻り（正面視前後方向）に揺動自在とした梃子レバー板状の定位置フック４６が設けられている。この定位置フック４６の上端にはコの字形状に対向した爪部４６ａが一方の横向き（図５中、後方）に突設され、下端はＬ字状に曲げられた操作部４６ｂが他方の横向き（図５中前方）に突設されている。また、前記操作部４６ｂの末端側と固定基板２１の前端（図中逆Ｌ字状のバネ引っ掛け部分２１ａ）との間には、左右一対の復帰バネ４６ｃが連繋配置されることで、定位置フック４６は常時付勢されている。これにより、操作部４６ｂを復帰バネ４６ｃの張力に抗して押下させると定位置フック４６は支点Ｏ１の廻りに反時計方向に揺動し、その後この押下を解除すると当該復帰バネ４６ｃの張力によって定位置フック４６は支点Ｏ１の廻りに時計方向に揺動し、爪部４６ａが元の位置（後方）へ復帰する（図９は逆）。
【００２８】
この定位置フック４６に対応して、前記投入口可動棚１１の下面には前面に矩形開口状の係合部４７ａを備えた板状の脚部４７が垂下突設されている。そして、前記投入口可動棚１１の下方向にスライド移動した位置で前記脚部４７の係合部４７ａに前記定位置フック４６の爪部４６ａが係合し、当該投入口可動棚１１の上方へのスライド移動を阻止する。このように、定位置フック４６は、投入口可動棚１１の下方向にスライド移動した位置で当該投入口可動棚１１の上方へのスライド移動を阻止する係止位置と上方へのスライド移動を許容する係止解除位置との間を揺動可能としている。
【００２９】
また、前記固定基板２１（ブラケット）上面の中央箇所には、支点Ｏ２の廻り（正面視左右方向）に揺動自在とした平板状のストップフック７１が設けられている。このストップフック７１の上端にはコの字形状に対向した爪部７１ａが一方の横向き（図５中、左方向）に突設され、下端は前記固定基板２１の一方の開口部２１ｂ（図６参照）から下方に突出させてある。また、前記ストップフック７１の爪部７１ａの末端側と固定基板２１（図４中、固定基板２１の開口部２１ｂ近傍のバネ引っ掛け部分（図示省略））との間には、復帰バネ７２が連繋配置されることで、当該ストップフック７１は常時付勢されている。これにより、前記固定基板２１の開口部２１ｂから下方に突出しているストップフック７１の下端を、復帰バネ７２の張力に抗して、左方向に押圧させると当該ストップフック７１は支点Ｏ２の廻りに時計方向に揺動して爪部７１ａが右方向へ移動し、その後この押圧を解除すると当該復帰バネ７２の張力によってストップフック７１は支点Ｏ２の廻りに反時計方向に揺動し、爪部７１ａが元の位置の左方向へ復帰する（図４、図６参照）。
【００３０】
このストップフック７１に対応して、前記投入口可動棚１１の下面中央には側面に矩形開口状の係合部４８ａを備えた板状の脚部４８が幅方向を前後に向けて垂下突設され、その下端は前記固定基板２１に形成された一方の開口部２１ｂに隣接する他方の開口部２１ｃ（図６参照）を通過できるようにしてある。そして、前記投入口可動棚１１の上方向にスライド移動した位置で係合部４８ａに前記ストップフック７１の爪部７１ａが係合し、当該投入口可動棚１１の下方へのスライド移動を阻止する。この投入口可動棚１１を下降させるには、前記固定基板２１の開口部２１ｂから下方に突出しているストップフック７１の下端を左方向に押圧させて爪部７１ａと係合部４８ａとの係合を解除（解離）してから、当該投入口可動棚１１の上面を手で押下げて、前記定位置フック４６の爪部４６ａが脚部４７の係合部４７ａに係合するまで下降させればよい。このように、前記ストップフック７１は、前記投入口可動棚１１の上方向にスライド移動した位置で当該投入口可動棚１１の下方へのスライド移動を阻止する係止位置と下方へのスライド移動を許容する係止解除位置との間を揺動可能としている。なお、図６中、符号２１ｄは、前記投入口可動棚１１の下方へのスライド移動に伴い、前記スライダ部３６を前記固定基板２１の下方に通過させるための当該固定基板２１の左右端に前後一対となって形成された切欠凹部である。
【００３１】
＜回収容器Ｑの上部開放部の開閉機構＞
前記回収容器Ｑは、図７、図１３、図１４、図１５、図１６に示すように、その上部後半部分（図１３乃至図１６では右半分）に上部開放部Ｑ１が形成され、上部前半部分（図１３乃至図１６では左半分）は、スライドカバー９２の格納部９１となっている。このスライドカバー９２の下部には左右に前後一対のベアリング９３が装備され、上部開放部Ｑ１内側の左右に配したレール９４に沿って前後水平方向（図１３乃至図１６では左右方向）にスライド可能とすることで上部開放部Ｑ１の後半部分を閉塞または開放可能としている。また、前記回収容器Ｑの上部開放部Ｑ１内側におけるレール９４の位置下側には、左右方向（図１３乃至図１６では中間の前後方向）に支持部９５が梁状に架け渡され、この支持部９５の上面中央に、弾性開閉機構としてゼンマイバネ９６ａを巻取付勢して成るリール部材９６が具備されている。このゼンマイバネ９６ａの先端は、下面側が一部開放されているスライドカバー９２の後部下面縁部９７にネジ止め（９６ｂ）等によって固定され、スライドカバー９２はこのゼンマイバネ９６ａとの連繋によって前記上部開放部Ｑ１が閉鎖する方向に引っ張り付勢されている。なお、図中、符号９２ａは、ラバー等の緩衝部材であり、スライドカバー９２が閉塞位置までスライドすると、該緩衝部材９２ａは、上部開放部Ｑ１の後端に起立状に突設したストッパー片９２ｂによって停止されるものとしてある。
【００３２】
前記スライドカバー９２はその下側先端から、前記上部開放部Ｑ１の略中央に配したリール部材９６から引き出されたゼンマイバネ９６ａの先端が当該スライドカバー９２の上記後部下面縁部９７にネジ止め（９６ｂ）等で固定されている末端部分まで開口されている。既述したカバースイッチ８１の左右両端からは、前側傾斜部と後側垂直部とからなる鉤状（楔型）のフック部８１ａが一対となって対向形成されており、前記カバースイッチ８１を囲むコの字枠型の不動のケーシング８３と、当該カバースイッチ８１の下端後縁部との間に連繋配置した引張バネ８２の張力によって、これら左右一対のフック部８１ａがスライドカバー９２の後部下面縁部９７に係架され、上部開放部Ｑ１の閉鎖方向へのスライド移動を阻止した状態で保持されている。そして、前記連動スイッチ５６によってカバースイッチ８１が押下されると、当該カバースイッチ８１は、支点Ｏ３の廻りに反時計方向（図中１４中、矢印Ａ方向）に揺動し、フック部８１ａとスライドカバー９２の後部下面縁部９７との係合が解除されると同時に前記リール部材９６へのゼンマイバネ９６ａの巻込付勢により、格納部９１から水平方向にスライドカバー９２が図中右方に突出し、スライドカバー９２先端の緩衝部材９２ａが上部開放部Ｑ１端部のストッパー片９２ｂに衝止されて停止し上部開放部Ｑ１は閉鎖されるものとなる。なお、図中、符号９８は、前記ケーシング８３上部の左右両側に架け渡された棒状のストッパーであり、カバースイッチ８１の時計方向への過度な揺動を阻止している。
【００３３】
前記したように、カバースイッチ８１は、上部開放部Ｑ１の開放方向にスライド移動した位置でスライドカバー９２の閉鎖方向へのスライド移動を阻止する係止位置と上部開放部Ｑ１の閉鎖方向へのスライド移動を許容する係止解除位置との間を揺動可能としている。
【００３４】
＜回収容器Ｑのスライドカバーのロック機構＞
前記支持部９５上面には、上部開放部Ｑ１を閉鎖した位置で上方向に突出揺動して前記スライドカバー９２の開放を阻止するためのカバーロック９９を備えている。すなわち、このカバーロック９９は、一端に上方に向けて前側垂直部と後側傾斜部とからなる略楔状の爪部９９ａが形成され、他端は水平操作部９９ｂとなっていて、前記爪部９９ａ寄りの支点Ｏ４の廻りに揺動自在としてなる。また、支持部９５と操作部９９ｂの中間には、引張バネ９９ｃが連繋配置され、前記カバーロック９９の爪部９９ａがスライドカバー９２の下面開放部内側に臨むように付勢されている。これにより、スライドカバー９２が上部開放部Ｑ１の閉鎖方向にスライド移動した際には、爪部９９ａの後側傾斜部に沿って上記スライドカバー９２の後部下面縁部９７が移動するため、当該爪部９９ａは支点Ｏ４の廻りに時計方向に揺動し、スライドカバー９２が閉鎖位置にきたときには引張バネ９９ｃの張力によって当該スライドカバー９２の後側面が爪部９９ａの前側垂直部によって係止される。
【００３５】
また、前記支持部９５近傍の回収容器Ｑの一側面には前記スライドカバー９２の閉鎖移動に伴ってロック作動したカバーロック９９のロック解除方向への揺動を阻止する錠前１００が設けられている。すなわち、図１６に示すように、錠前１００のキー孔１０１に、不図示の専用キーを挿入して矢票Ｂ方向に回動すると、当初横向きとなっていたラッチレバー１０２が起立方向に揺動し、水平操作部９９ｂを持ち上げる。これによって爪部９９ａは支点Ｏ４の廻りに時計方向（図１６中、矢票Ｃ方向）に揺動し、カバーロック９９によるスライドカバー９２のロックが解除される。しかる後、スライドカバー９２を手操作で後方にスライドさせる。このとき、カバースイッチ８１のフック部８１ａが後部下面縁部９７に係合されるまで移動すればよい。
【００３６】
次に、以上のように構成された形態についての使用・動作の一例について説明する。なお、前記キャビネット本体１の投入口可動棚１１が最下位に下がってその投入口６が開放し且つ当該投入口可動棚１１が最下位にて上記定位置フック４６によりロック状態にある時点から説明する。
【００３７】
先ず、図８に示すように、前記回収容器Ｑ内に回収された廃棄物によって当該回収容器Ｑが一定の荷重、例えば約５０ｋｇ以上の荷重に達すると、前記回収容器Ｑの下部に配した支持バネ５７０が圧縮されてレリーズワイヤ６４による牽引力を介してスイッチボタン５８が押下され、これに伴い、図９に示すように、連動スイッチ５６は下降し、これのフック押下操作部５６ａが定位置フック４６の操作部４６ｂを押下させると同時に当該連動スイッチ５６のスイッチ押下操作部５６ｂがカバースイッチ８１を押下させる。
【００３８】
このとき、前記定位置フック４６による前記キャビネット本体１の投入口可動棚１１の係止が解除され、、前記昇降駆動バネ３７の張力によって当該投入口可動棚１１を上方に引き上げ、投入口６を投入口可動棚１１で完全に閉塞して廃棄物の投入を不可能にする。例えば、投入不可能である状態とのメッセージ（例えば「ＦＵＬＬ」）が布置されてなる指示部１２が露出する。これによって前記キャビネット本体１内に収容された回収容器Ｑ内への廃棄物の過剰な投入が防止される。このとき、前記ストップフック７１によって当該投入口可動棚１１の下方へのスライド移動を阻止する。これと同時に、前記カバースイッチ８１のフック部８１ａとスライドカバー９２の後部下面縁部９７との係合が解除されることによって前記スライドカバー９２の閉鎖方向へのスライド移動を許容し、前記回収容器Ｑの上部開放部Ｑ１が閉鎖され且つ前記カバーロック９９が上方向に突出揺動して前記スライドカバー９２の開放方向へのスライド移動を阻止する。
【００３９】
次に、扉２を開放し、タラップ５１を前方に倒してから回収容器Ｑを引出す。このとき、廃棄物で満杯にされた回収容器Ｑ自体の荷重によって、支持バネ５７０が圧縮され、下面のキャスター４は底部５ｄ上に接触している。そして、タラップ５１のガイドレール５２、５２に沿ってキャスター４を転動案内させながら当該回収容器Ｑを外部に引き出す。この回収容器Ｑは廃棄処分場に搬送され、専用のキーで背面扉８を開けて、中の機密書類である廃棄物を取出し廃棄処分する。
【００４０】
而して、この回収容器Ｑのキャビネット本体１からの取り出しから廃棄物の処分までの間、当該回収容器Ｑ内の機密書類の情報漏洩が確実に防止される。なお、キャビネット本体１の前記扉２に窓部を設けることで、外部からカバースイッチ８１を操作することも可能である。
【００４１】
廃棄物処分後には、図１６に示すように、錠前１００のキー孔１０１に、不図示の専用キーを挿入して矢印Ｂ方向に回動する。このときラッチレバー１０２が起立方向に揺動して水平操作部９９ｂを持ち上げる。これによって爪部９９ａは支点Ｏ４の廻りに時計方向（図１６中、矢印Ｃ方向）に揺動し、カバーロック９９によるスライドカバー９２のロックが解除される。しかる後、スライドカバー９２を手操作で後方にスライドさせ、カバースイッチ８１のフック部８１ａを後部下面縁部９７に係合させて開放状態をロックさせる。
【００４２】
一方、キャビネット本体１の投入口可動棚１１を下降させる。このとき、前記固定基板２１の開口部２１ｂから下方に突出しているストップフック７１の下端を左方向に押圧させて爪部７１ａと係合部４８ａとの係合を解除（解離）してから、投入口可動棚１１の上面を手で押下げて、前記定位置フック４６の爪部４６ａが脚部４７の係合部４７ａに係合するまで下降させる。その後、上部開放部Ｑ１の後半部分が開放された前記回収容器Ｑを、キャビネット本体１内に収容する。こうして投入口６は開放された状態となり、当該投入口６から廃棄物が再度投入される。
【符号の説明】
【００４３】
Ｑ                      回収容器
Ｑ１                    上部開放部
Ｏ１、Ｏ２、Ｏ３、Ｏ４  支点
１                      キャビネット本体
２                      扉
２ａ                    内壁枠上縁
３                      コインロッカートリガー金具
４                      キャスター
５ａ                    天板部
５ｂ                    左側面部
５ｃ                    右側面部
５ｄ                    底部
５ｅ                    背面部
６                      投入口
７                      取っ手
８                      背面扉
１１                    投入口可動棚
１２                    指示部
１４                    ガイドローラ
２１                    固定基板
２１ａ                  バネ引っ掛け部分
２１ｂ、２１ｃ          開口部
２１ｄ                  切欠凹部
２２ａ                  左側壁面部
２２ｂ                  右側壁面部
２３ａ、２３ｂ          ガイドレール
３６                    スライダ部
３７                    昇降駆動バネ
４６                    定位置フック
４６ａ                  爪部
４６ｂ                  操作部
４７ａ                  係合部
４８                    脚部
４８ａ                  係合部
５１                    タラップ
５２                    ガイドレール
５３                    ヒンジ部
５６                    連動スイッチ
５６ａ                  フック押下操作部
５６ｂ                  スイッチ押下操作部
５６ｃ                  肩部
５６ｄ                  引張バネ
５６ｅ                  孔部
５６ｆ                  ネジ止め
５７０                  支持バネ
５７                    長孔
５７ａ                  ガイド棒
５８                    スイッチボタン
５９                    ケーシング
６０                    バネ
６１                    スライドストッパ
６２                    一端側
６３                    溝
６４                    レリーズワイヤ
７１                    ストップフック
７１ａ                  爪部
８１                    カバースイッチ
８１ａ                  フック部
８２                    引張バネ
８３                    ケーシング
９１                    格納部
９２                    スライドカバー
９２ａ                  緩衝部材
９２ｂ                  ストッパー片
９３                    ベアリング
９４                    レール
９５                    支持部
９６                    リール部材
９６ａ                  ゼンマイバネ
９６ｂ                  ネジ止め
９７                    後部下面縁部
９８                    ストッパー
９９                    カバーロック
９９ａ                  爪部（前側垂直部と後側傾斜部）
９９ｂ                  水平操作部
９９ｃ                  引張バネ
１００                  錠前
１０１                  キー孔
１０２                  ラッチレバー
【図１】
0006440586.tif 000002
【図２】
0006440586.tif 000003
【図３】
0006440586.tif 000004
【図４】
0006440586.tif 000005
【図５】
0006440586.tif 000006
【図６】
0006440586.tif 000007
【図７】
0006440586.tif 000008
【図８】
0006440586.tif 000009
【図９】
0006440586.tif 000010
【図１０】
0006440586.tif 000011
【図１１】
0006440586.tif 000012
【図１２】
0006440586.tif 000013
【図１３】
0006440586.tif 000014
【図１４】
0006440586.tif 000015
【図１５】
0006440586.tif 000016
【図１６】
0006440586.tif 000017